(57)【要約】      （修正有）【課題】電子機器の印刷配線板のアースパターンとシャーシとを接続するアース接続構造において、アースプレートなどの部品を用いずに印刷配線板のアースパターンとシャーシとを接続することができるようにする。【解決手段】フロントフレーム２に形成した切り起し片２ａを接点ゴム５の導電部５ｄへ接点ゴム５をキーボード基板６から離す方向へ弾性変形させながら接触し、接点ゴム５の導電部５ｄとキーボード基板６に形成されたアースパターン６ｂとを接触させてキーボード基板６のアースとフロントフレーム２を接続させる。【選択図】図３
2008131020.tif 000002
【特許請求の範囲】
【請求項１】
アースパターンを備えた印刷配線板と、導電性を持つ金属製のシャーシとを接続するアース接続構造において、
前記シャーシから切り起された切り起し片と、
前記印刷配線板に重ねられ所定の位置に導電パターンが設けられた接点ゴムと、を備え、
前記切り起し片が前記接点ゴムを前記印刷配線板から離す方向に弾性変形させながら接触して、前記接点ゴムの弾性変形した部分に設けられた前記導電パターンを介して前記印刷配線板の前記アースパターンと電気的に接続することを特徴とするアース接続構造。
【請求項２】
前記切り起し片の先端部が、前記接点ゴムと平行となる方向に曲げられており、前記接点ゴムと平行となった前記先端部が前記接点ゴムを弾性変形させながら接触することを特徴とする請求項１に記載のアース接続構造。
【請求項３】
前記切り起し片と前記接点ゴムとの接触圧を一定に保つために、前記接点ゴムの切り起し片との接触位置の周囲に接触圧保持部を設けたことを特徴とする請求項１または２に記載のアース接続構造。
【請求項４】
前記接点ゴムの端部付近に前記導電パターンが設けられており、前記切り起し片が、前記接点ゴムの端部を折り曲げるように弾性変形させ前記導電パターンと接触することを特徴とする請求項１に記載のアース接続構造。
【請求項５】
前記接点ゴムと前記印刷配線板とを収容するケースを備え、前記ケースから立設して前記接点ゴムの弾性変形された部分の周囲を押さえる押さえ部材を備えたことを特徴とする請求項１乃至４のうちいずれか一項に記載のアース接続構造。
【請求項６】
前記印刷配線板に前記切り起し片を貫通させる貫通孔を設け、前記切り起し片が、前記貫通孔を通して前記接点ゴムと接触することを特徴とする請求項１乃至５のうちいずれか一項に記載のアース接続構造。
【請求項７】
請求項１乃至６のいずれか一項に記載のアース接続構造を備えた電子機器。
【発明の詳細な説明】
【技術分野】
【０００１】
本発明は、アースパターンを備えた印刷配線板とシャーシとを接続するアース接続構造およびアース接続構造を備えた電子機器に関する。
【背景技術】
【０００２】
従来、ＥＭＣ（Electro-Magnetic Compatibility）対策などのために電子機器等において印刷配線板のアースを金属製のシャーシに接続することが行われている。
【０００３】
図１に従来の印刷配線板とシャーシとの接続構造を示す。図１は、電子機器１１の要部断面図であり、電子機器１１は、フロントフレーム１２と、グリル１３と、ボタン１４と、接点ゴム１５と、キーボード基板１６と、アースプレート１７と、ネジ１８と、を備えている。
【０００４】
シャーシとしてのフロントフレーム１２は金属製であり略箱型に成形され接点ゴム１５とキーボード基板１６とを収容している。グリル１３は電子機器１１の前面パネルをボタン１４などとともに構成し、樹脂などで成形されフロントフレーム１２と端部で嵌合している。ボタン１４は、円盤状に形成されたボタン部１４ａと、後述する接点ゴム１５の押圧部１５ａと接触するボタン部１４ａ中央から立設された円柱部１４ｂとを備えている。
【０００５】
接点ゴム１５は、シリコンゴムなどの弾性体により一体成形され、略円柱状に形成された押圧部１５ａとキーボード基板１６と重ねられている板状に形成された板部１５ｂと、板部１５ｂから立設された支持部１５ｃとを備えている。押圧部１５ａは、表面１５ａ１でボタン１４の円柱部１４ｂと接触している。また、押圧部１５ａの円柱部１４ｂと接触しない面１５ａ２には導電性部材が印刷若しくはインサート成形された導電部１５ｄが形成されている。接点ゴム１５の押圧部１５ａは通常キーボード基板１６とは離れており、ボタン１４が押されると押圧部１５ａの導電部１５ｄとキーボード基板１６の押圧部１５ａに対応する位置に設けられた導電パターンとが接触し、キーボード基板１６の回路に信号が流れてボタン１４に対応した電子機器１１の機能が動作する。
【０００６】
印刷配線板としてのキーボード基板１６は、前記ボタン１４などが押されたか否かなどを検出する回路を備えた基板であり、接点ゴム１５と接触する面とは反対の面に該回路のアースパターン１６ａを備えている。
【０００７】
アースプレート１７は、キーボード基板１６のアースパターン１６ａとフロントフレーム１２とを電気的に接続する部材であり適度な弾性を備えた金属製の板バネである。ネジ１８はアースプレート１７をフロントフレーム１２へ固定するためのネジである。
【０００８】
このような構成の電子機器１１において、キーボード基板１６とフロントフレーム１２とのアース接続構造は、弾性を備えたアースプレート１７経由でキーボード基板１６のアースパターンがフロントフレームに１２に接続されていた。
【発明の開示】
【発明が解決しようとする課題】
【０００９】
上述したアース接続構造ではキーボード基板１６のアースパターンをフロントフレーム１２に接続するためにアースプレート１７やネジ１８などの部品が必要となる。この場合部品点数が多くなってしまうという問題があった。また、ネジを使用する代わりにアースプレート１７をカシメ加工して固定する方法もあるが、アースプレート１７が必要なことには変わりなく、さらにカシメ工程のためのコストがかかるという問題があった。
【００１０】
そこで、本発明は、例えば、印刷配線板のアースとシャーシとを接続するアース接続構造において、アースプレートなどの部品を用いずに印刷配線板のアースパターンとシャーシとを接続することができるアース接続構造およびアース接続構造を備えた電子機器を提供することを課題とする。
【課題を解決するための手段】
【００１１】
上記課題を解決するために、請求項１に記載の発明は、アースパターンを備えた印刷配線板と、導電性を持つ金属製のシャーシとを接続するアース接続構造において、前記シャーシから切り起された切り起し片と、前記印刷配線板に重ねられ所定の位置に導電パターンが設けられた接点ゴムと、を備え、前記切り起し片が前記接点ゴムを接触して、前記切り起し片が前記接点ゴムを前記印刷配線板から離す方向に弾性変形させながら接触して、前記接点ゴムの弾性変形した部分に設けられた前記導電パターンを介して前記印刷配線板の前記アースパターンと電気的に接続することを特徴としている。
【発明を実施するための最良の形態】
【００１２】
以下、本発明の一実施形態にかかるアース接続構造を説明する。本発明の一実施形態にかかるアース接続構造は、シャーシから切り起された切り起し片と、印刷配線板に重ねられ所定の位置に導電パターンが設けられた接点ゴムと、を備え、切り起し片が接点ゴムを印刷配線板から離す方向に弾性変形させながら接触して、接点ゴムの弾性変形した部分に設けられた導電パターンを介して印刷配線板のアースパターンと電気的に接続している。このようにすることによって、アースプレートやネジなどの部品が不要となり、部品点数の削減が可能となる。
【００１３】
また、切り起し片の先端部が、接点ゴムと平行となる方向に曲げられており、接点ゴムと平行となった先端部が接点ゴムを弾性変形させながら接触してもよい。このようにすることによって、切り起し片の破断面によって接点ゴムが破損することを防ぐことができる。
【００１４】
また、切り起し片と接点ゴムとの接触圧を一定に保つために、接点ゴムの切り起し片との接触位置の周囲に接触圧保持部を設けてもよい。このようにすることによって、切り起し片と接点ゴムとの接触圧が一定となるために、組み立て時のバラツキなどがあっても確実に切り起し片と接点ゴムとを接触させることができるので、安定したアース接続とすることができる。
【００１５】
また、接点ゴムの端部に導電パターンが設けられており、切り起し片が、接点ゴムの端部を折り曲げるように弾性変形させ導電パターンと接触してもよい。このようにすることによって、接点ゴムが元に戻ろうとする力によって切り起し片と接触するために確実に切り起し片と接点ゴムを接触させることができるので、安定したアース接続とすることができる。
【００１６】
また、接点ゴムと印刷配線板とを収容するケースを備え、ケースから立設して接点ゴムの弾性変形された部分の周囲を押さえる押さえ部材を備えてもよい。このようにすることによって、切り起し片と接点ゴムとが離れにくくなり確実に接触させることができるので、安定したアース接続とすることができる。
【００１７】
また、印刷配線板に切り起し片を貫通させる貫通孔を設け、切り起し片が、貫通孔を通して接点ゴムと接触するようにしてもよい。このようにすることによって、シャーシと接点ゴムとの間に印刷配線板があったとしても切り起し片と接点ゴムとを接触させることができる。
【００１８】
また、電子機器に請求項１乃至６のいずれか一項に記載のアース接続構造を備えてもよい。このようにすることによって、電子機器において、アースプレートやネジなどの部品が不要となり、部品点数が削減され、かつ安定したアース接続を行うことができる。
【実施例１】
【００１９】
本発明の第１の実施例にかかる電子機器としての光ディスク再生装置１を図２および図３を参照して説明する。図２は本発明の第１の実施例にかかる光ディスク再生装置１の斜視図である。図３は図２に示された光ディスク再生装置１のＩ−Ｉ線に沿う断面図である。光ディスク再生装置１は、筐体２３と、グリル３と、図３に示すようにフロントフレーム２と接点ゴム５と、キーボード基板６と、を備えている。
【００２０】
筐体２３は、略箱型に形成され、内部に図示しない電源や光ディスクドライブや各種回路基板などを収容している。
【００２１】
ケースとしてのグリル３は樹脂などで成形され光ディスク再生装置１の前面パネルとなり、光ディスク再生装置１の操作を行うためのボタン４と、光ディスク挿入口２１と、再生している光ディスクのトラック数や再生状態などを表示する表示装置２２とを備えている。また、図３に示すようにフロントフレーム２と端部で嵌合することで接点ゴム５とキーボード基板６とを収容している。グリル３は、接点ゴム５と向かい合う面（裏面）に、接点ゴム５の切り起し片２ａと後述する接点ゴム５に設けられた導電部５ｄとの接触部分の周囲をキーボード基板６に押さえるように押さえ部材としてのリブ３ａが立設されている。
【００２２】
ボタン４は、円盤状に形成されたボタン部４ａと、後述する接点ゴム５の押圧部５ａと接触するボタン部４ａ中央から立設された円柱部４ｂとを備えている。
【００２３】
導電性を持つ金属製のシャーシとしてのフロントフレーム２は金属で略箱型に成形され、接点ゴム５とキーボード基板６とを収容している。また、フロントフレーム２の所定の位置にフロントフレーム２の一部を切り起した切り起し片２ａが形成されている。切り起し片２ａは、フロントフレーム２の切り起した面および接点ゴム５とキーボード基板６と垂直になる方向に切り起され、切り起された部分の長さは後述する接点ゴム５をキーボード基板６から離れる方向に弾性変形させて接触する程度の長さである。
【００２４】
接点ゴム５は、シリコンゴムなどの弾性体により一体成形され、略円柱状に形成された押圧部５ａとキーボード基板６と重ねられている板状に形成された板部５ｂと、板部５ｂから立設された支持部５ｃとを備えている。押圧部５ａは、表面５ａ１でボタン４の円柱部４ｂと接触している。また、押圧部１５ａの円柱部１４ｂと接触しない面５ａ２および、フロントフレーム２の切り起し片２ａが接続する位置には導電性部材が成形された導電パターンとしての導電部５ｄが形成されている。接点ゴム５の押圧部５ａは通常キーボード基板６とは離れており、ボタン４が押されると押圧部５ａの導電部５ｄとキーボード基板６の押圧部５ａに対応する位置に設けられた導電パターンとが接触し、キーボード基板６の回路に信号が流れてボタン４に対応した光ディスク再生装置１の機能が動作する。
【００２５】
印刷配線板としてのキーボード基板６は、前記ボタン４などが押されたか否かを検出する回路などを備えた基板であり、フロントフレーム２の切り起し片２ａに合わせた位置にはフロントフレーム２を貫通させる貫通孔６ａを備えている。貫通孔６ａは、切り起し片２ａとキーボード基板６が接触しない程度の大きさとなっている。また、切り起し片２ａと接触する接点ゴム５の導電部５ｄとキーボード基板６が接触している部分にはアースパターン６ｂが形成されえている。アースパターン６ｂはスルーホールを通してキーボード基板６の接点ゴム５と接触しない面に形成した回路パターンのアースパターンと接続してもよい。
【００２６】
このような構成の光ディスク再生装置１のアース接続構造について説明する。キーボード基板６に設けられたアースパターン６ｂは接点ゴム５の導電部５ｄと接触する。接点ゴム５の導電部５ｄはフロントフレーム２の切り起し片２ａが接点ゴム５をキーボード基板６から離す方向へ弾性変形させるように接触している。したがってキーボード基板６のアースパターン６ｂをフロントフレーム２に電気的に接続することができる。また、切り起し片２ａは接点ゴム５をキーボード基板６から離す方向へ弾性変形するように接触させているために確実に接触させることができる。
【００２７】
本実施例によれば、光ディスク再生装置１のアース接続構造において、フロントフレーム２に形成した切り起し片２ａを接点ゴム５の導電部５ｄへ接点ゴム５をキーボード基板６を離す方向に弾性変形させながら接触し、接点ゴム５の導電部５ｄとキーボード基板６に形成されたアースパターン６ｂとを接触させてキーボード基板６のアースとフロントフレーム２を接続させている。また、グリル３の押さえ部材３ａによって切り起し片２ａが接点ゴム５の導電部５ｄが弾性変形させながら接触している部分の周囲の所定の位置に設けられている。このようにすることによって、アースプレートやネジなどの部品が必要でなくなり、部品点数の削減が可能となり、切り起し片２ａと接点ゴム５とが確実に接触させることができるので、安定したアース接続とすることができる。
【実施例２】
【００２８】
次に、第２の実施例にかかる光ディスク再生装置１を図４を参照して説明する。なお、前述した第１の実施例と同一部分には、同一符号を付して説明を省略する。
【００２９】
本実施例では、フロントフレーム２の切り起し片２ａの先端部２ａ１が接点ゴム５やキーボード基板６を平行になるような方向に曲げられている点および、さらに、切り起し片２ａと接触する導電部５ｄの周囲に切り起し片２ａと接点ゴム５との接触圧が一定となるような接触圧保持部としての凸部５ｅを形成した点が第１の実施例と異なる。
【００３０】
図４に示したように、切り起し片２ａの先端部２ａ１が接点ゴム５やキーボード基板６を平行になるような方向に曲げて接点ゴム５を弾性変形させるように導電部５ｄと接触させているので、切り起し片２ａの破断面によって接点ゴムが傷つけられたり破断させられたりすることが無い。
【００３１】
また、凸部５ｅは、切り起し片２ａと接点ゴム５の接触部分囲むように形成され、板部５ｂよりも厚みが薄く形成されている。そのために凸部５ｅは変形し易い構成となっているので、切り起し片２ａに変形させられたときに、逆向きに押さえる力が発生して接触圧を一定に保つことができる。
【００３２】
本実施例によれば、光ディスク再生装置１のアース接続構造において、フロントフレーム２に形成した切り起し片２ａを接点ゴム５やキーボード基板６を平行になるような方向に曲げて接点ゴム５の導電部５ｄへ接点ゴム５を弾性変形させながら接触し、さらに、接点ゴム５の切り起し片２ａと接触する導電部５ｄの周囲に切り起し片２ａと接点ゴム５との接触圧が一定となるような凸部５ｅを形成しているので、アースプレートやネジなどの部品が必要でなくなり、部品点数の削減が可能となる。そして、切り起し片２ａの破断面によって接点ゴムが傷つけられたり破断させられたりすることが無く、導電部５ｄとの接触面積が増えるとともにフロントフレーム２の切り起し片２ａの高さが公差や組み付けバラツキによって変化しても接触圧が一定にすることができるので安定してキーボード基板６のアースパターン６ｂをフロントシャーシ２に接続することができる。
【実施例３】
【００３３】
次に、第３の実施例にかかる光ディスク再生装置１を図５を参照して説明する。なお、前述した第１の実施例と同一部分には、同一符号を付して説明を省略する。
【００３４】
本実施例では、接点ゴム５の端部５ｆに導電部５ｄが形成されている。そして、フロントフレーム２の切り起し片２ａが接点ゴム５の端部５ｆを切り起し片２ａを平行となるように（すなわち、キーボード基板６と垂直になるように）折り曲げて切り起し片２ａと接触している点が第１の実施例と異なる。
【００３５】
接点ゴム５の端部５ｆは、その弾性によってキーボード基板６と平行な位置に戻ろうとする力により切り起し片２ａとの接触圧が確保され確実に切り起し片２ａと接点ゴム５の導電部５ｄを接触させることができる。
【００３６】
本実施例によれば、光ディスク再生装置１のアース接続構造において、接点ゴム５の導電部５ｄを接点ゴム５の端部５ｆに設け、フロントフレーム２に形成した切り起し片２ａが、端部５ｆを折り曲げて端部５ｆに形成した導電部５ｄを弾性変形させながら接触しているので、アースプレートやネジなどの部品が必要でなくなり、部品点数の削減が可能となる。そして、切り起し片２ａの破断面によって接点ゴムが傷つけられたり破断させられたりすることが無く、また、導電部５ｄと切り起し片２ａとの接触圧を調整する凸部などを形成する必要がなく単純な構成で安定してキーボード基板６のアースパターン６ｂをフロントシャーシ２に接続することができる。
【００３７】
なお、上述した実施例では、シャーシとしてフロントフレームとしていたが、フロントフレームに限らず、電子機器の導電性を持つ金属製のシャーシであればどこでもよい。
【００３８】
また、シャーシとしてのフロントフレーム２に例えば錆防止などのための表面加工が施されていた場合は、切り起し片２ａの部分は、その表面加工を除去してもよい。このようにすれば接触抵抗を低下させてアース接続をすることができる。
【００３９】
前述した実施例によれば、以下のアース接続構造が得られる。
【００４０】
（付記１）アースパターン６ｂを備えたキーボード基板６と、フロントフレーム２とを接続するアース接続構造において、
フロントフレーム２から切り起された切り起し片２ａと、
キーボード基板６に重ねられ所定の位置に導電部５ｄが設けられた接点ゴム５と、を備え、
切り起し片２ａが接点ゴム５をキーボード基板６から離す方向に弾性変形させながら接触して、接点ゴム５の弾性変形した部分に設けられた導電部５ｄを介して印刷配線板６のアースパターン６ｂと電気的に接続することを特徴とするアース接続構造。
【００４１】
このアース接続構造によれば、アースプレートやネジなどの部品が不要となり、部品点数の削減が可能となる。
【００４２】
なお、前述した実施例は本発明の代表的な形態を示したに過ぎず、本発明は、実施例に限定されるものではない。すなわち、本発明の骨子を逸脱しない範囲で種々変形して実施することができる。
【図面の簡単な説明】
【００４３】
【図１】従来技術におけるアース接続構造の要部断面図である。
【図２】本発明の第１乃至第３の実施例にかかる光ディスク再生装置１の斜視図である。
【図３】本発明の第１の実施例にかかるアース接続構造の要部断面図である。
【図４】本発明の第２の実施例にかかるアース接続構造の要部断面図である。
【図５】本発明の第３の実施例にかかるアース接続構造の要部断面図である。
【符号の説明】
【００４４】
１        光ディスク再生装置（電子機器）
２        フロントフレーム（シャーシ）
２ａ      切り起し片
２ａ１    先端部
３ａ      リブ（押さえ部材）
５        接点ゴム
５ｄ      導電部（導電パターン）
５ｅ      凸部（接触圧保持部）
５ｆ      端部
６        キーボード基板（印刷配線板）
６ａ      貫通孔
６ｂ      アースパターン
【図１】
2008131020.tif 000003
【図２】
2008131020.tif 000004
【図３】
2008131020.tif 000005
【図４】
2008131020.tif 000006
【図５】
2008131020.tif 000007